(57)【要約】  【課題】  携帯電話を用いて通話する場合に、画面を見ながらあるいはカメラで撮影しながらの通話を可能にする。  【解決手段】  カメラ、通話用スピーカーおよび表示画面を備えた表示パネル部をキーパネルおよび通話用マイクを備えたキーパネル部とヒンジ結合した折り畳み式の携帯電話において、ヒンジ部またはヒンジ部近傍でキーパネル部と表示パネル部を着脱自在に分割し、キーパネル部と表示パネル部との間を有線または無線により信号伝達可能に接続し、キーパネル部にも通話用スピーカーを備える。【選択図】  図２
2004304784.tif 000002
【特許請求の範囲】
【請求項１】
表示パネル部にカメラおよび通話用スピーカーを備えキーパネル部に通話用マイクを備えた携帯電話において、
表示パネル部とキーパネル部とを着脱自在に分割し、表示パネル部とキーパネル部との間を有線または無線により信号伝達可能に接続し、キーパネル部にも通話用スピーカーを備えたことを特徴とする携帯電話。
【請求項２】
カメラおよび通話用スピーカー備えた表示パネル部と通話用マイクを備えたキーパネル部とを開閉自在にヒンジ結合した携帯電話において、
前記ヒンジ部で表示パネル部とキーパネル部とを着脱自在に分割し、キーパネル部と表示パネル部との間を有線または無線により信号伝達可能に接続し、キーパネル部にも通話用スピーカーを備えたことを特徴とする携帯電話。
【請求項３】
請求項２に記載の携帯電話において、
前記ヒンジ部をヒンジピンとヒンジ孔とに分割可能に嵌着したことを特徴とする携帯電話。
【請求項４】
カメラおよび通話用スピーカー備えた表示パネル部と通話用マイクを備えたキーパネル部とを開閉自在にヒンジ結合した携帯電話において、
前記ヒンジ部近傍で表示パネル部とキーパネル部とを着脱自在に分割し、キーパネル部と表示パネル部との間を有線または無線により信号伝達可能に接続し、キーパネル部にも通話用スピーカーを備えたことを特徴とする携帯電話。
【請求項５】
請求項４に記載の携帯電話において、
前記ヒンジ部近傍の表示パネル部とキーパネル部との分割部の一方に爪を設け他方に前記爪との係合部を設けて前記爪と係合部を着脱自在に係合したことを特徴とする携帯電話。
【請求項６】
請求項４に記載の携帯電話において、
前記ヒンジ部近傍の表示パネル部とキーパネル部との分割部の対向する面にそれぞれ磁石を配設して着脱自在としたことを特徴とする携帯電話。
【請求項７】
請求項６に記載の携帯電話において、
前記磁石の一方を磁性金属に置き換えたことを特徴とする携帯電話。
【請求項８】
請求項６または７に記載の携帯電話において、
前記ヒンジ部近傍のキーパネル部側で分割しヒンジ寄りのキーパネル部分割部を表示パネル部のスタンドにして表示パネル部を自立可能にしたことを特徴とする携帯電話。
【請求項９】
請求項１乃至７のいずれに記載の携帯電話において、
前記表示パネル部の後面下部に折り畳み式スタンドを備えたことを特徴とする携帯電話。
【請求項１０】
請求項１乃至７のいずれかに記載の携帯電話。
において、
前記表示パネル部を分割された単独状態でその下端部をスタンド台に装着して自立させたことを特徴とする携帯電話。
【請求項１１】
請求項１乃至１０のいずれかに記載の携帯電話。
において、
前記分割部のそれぞれの端部に赤外線信号の送受信部を配設したことを特徴とする携帯電話。
【請求項１２】
請求項１乃至１１のいずれかに記載の携帯電話。
において、
前記表示パネル部およびキーパネル部のそれぞれにバッテリを内蔵したことを特徴とする携帯電話。
【請求項１３】
請求項１乃至１２のいずれかに記載の携帯電話において、
前記表示パネル部を左右に展開および折り畳みが可能な３面の表示パネルにより構成したことを特徴とする携帯電話。
【請求項１４】
請求項１３に記載の携帯電話において、
前記表示パネルを有機ＥＬディスプレイにより構成したことを特徴とする携帯電話。
【請求項１５】
請求項１乃至１４のいずれかに記載の携帯電話において、
前記表示パネルの前面にカメラを配置したことを特徴とする携帯電話。
【発明の詳細な説明】
【技術分野】
【０００１】
本発明は、カメラを搭載した携帯電話に関し、詳しくはキーパネル部と、カメラを備えた表示パネル部とを分割可能にして、分割した表示パネル部を前方において画面を見ながらの通話を可能にした携帯電話に関する。
【背景技術】
【０００２】
従来、音声通話部と情報表示装置を分割した携帯電話がある（特許文献１参照）。これは、情報表示装置すなわち画面部を前方に置いてまたは保持したまま、画面部を見ながら通話することができる。
【特許文献１】特開２００２−７７３４２号公報
【発明の開示】
【発明が解決しようとする課題】
【０００３】
上述した携帯電話は、カメラを搭載した携帯電話ではないため、表示画面に表示させる内容は、電話番号、メモ、着信したメール等であり、限られた文字情報である。ところで、近年の携帯電話では、カメラを搭載した機種が普及し、通話をしながら、相手と画像情報を交換することが可能になってきた。しかしながら、普及している機種は、カメラおよび表示パネルは携帯電話本体に備えられているため、通話中に本体を耳に当てると、カメラを用いての撮影や表示パネルの画像を見ることができないという不便さがある。そこで、本発明は、カメラを搭載した携帯電話の表示パネルおよびカメラを分割可能にして、分割した表示パネルおよびカメラを前方においてまたは保持しながら、画面を見てあるいはカメラで撮影しながらの通話を可能にした折り畳み式の携帯電話を提案することを目的とした。
【課題を解決するための手段】
【０００４】
上記課題を解決するために、本発明は、表示パネル部にカメラおよび通話用スピーカーを備えキーパネル部に通話用マイクを備えた携帯電話において、表示パネル部とキーパネル部とを着脱自在に分割し、表示パネル部とキーパネル部との間を有線または無線により信号伝達可能に接続し、キーパネル部にも通話用スピーカーを備えたことを特徴とする。
また、本発明は、カメラおよび通話用スピーカー備えた表示パネル部と通話用マイクを備えたキーパネル部とを開閉自在にヒンジ結合した携帯電話において、前記ヒンジ部で表示パネル部とキーパネル部とを着脱自在に分割し、キーパネル部と表示パネル部との間を有線または無線により信号伝達可能に接続し、キーパネル部にも通話用スピーカーを備えたことを特徴とする。ここで、前記ヒンジ部をヒンジピンとヒンジ孔とに分割可能に嵌着することが可能である。
また、本発明は、カメラおよび通話用スピーカー備えた表示パネル部と通話用マイクを備えたキーパネル部とを開閉自在にヒンジ結合した携帯電話において、前記ヒンジ部近傍で表示パネル部とキーパネル部とを着脱自在に分割し、キーパネル部と表示パネル部との間を有線または無線により信号伝達可能に接続し、キーパネル部にも通話用スピーカーを備えたことを特徴とする。
ここで、前記ヒンジ部近傍の表示パネル部とキーパネル部との分割部の一方に爪を設け他方に前記爪との係合部を設けて前記爪と係合部を着脱自在に係合することが可能である。
また、前記ヒンジ部近傍の表示パネル部とキーパネル部との分割部の対向する面にそれぞれ磁石を配設して着脱自在とすることが可能であり、前記磁石の一方を磁性金属に置き換えることも可能である。
さらに、前記ヒンジ部近傍のキーパネル部側で分割しヒンジ寄りのキーパネル部分割部を表示パネル部のスタンドにして表示パネル部を自立可能にすることも可能である。
同じく、前記表示パネル部の後面下部に折り畳み式スタンドを備えることも可能であり、前記表示パネル部を分割された単独状態でその下端部をスタンド台に装着して自立させることも可能である。
また、前記分割部のそれぞれの端部に赤外線信号の送受信部を配設することも可能である。
さらに、前記表示パネル部およびキーパネル部のそれぞれにバッテリを内蔵することが必要である。
また、前記表示パネル部を左右に展開および折り畳みが可能な３面の表示パネルにより構成し、前記表示パネルを有機ＥＬディスプレイにより構成することも可能である。
さらに、前記表示パネルの前面にカメラを配置することが好ましい。
【発明の効果】
【０００５】
以上述べたように本発明によれば、携帯電話を表示パネル部とキーパネル部とに着脱自在に分割し、表示パネル部とキーパネル部との間を有線または無線により信号伝達可能に接続し、キーパネル部にも通話用スピーカーを備えたことで、分割した表示パネル部を前方においてまたは手に保持しながら、通話者が表示パネル部の画面を見ながらあるいはカメラで撮影しながらの通話が可能になる。
また、表示パネル部は折り畳み式スタンドやスタンド台を備えたことで、分割した状態で自立させることができる。
さらには、画面を左右に展開および折り畳みが可能な３面の表示パネルにより構成することで、画面が広くなり見やすくなる。
【発明を実施するための最良の形態】
【０００６】
以下、図に基づいて本発明の実施形態を説明する。
図１は第１の実施形態に係る折り畳み式の携帯電話の開いた状態を示す外観図であり、図２は図１の折り畳み式の携帯電話をキーパネル部と表示パネル部に分割した状態を示す外観図である。図において、１はキーパネル部であり、上面にキーパネル２および通話用マイク３が配置されている。キーパネル部１には、ヒンジ４を介して表示パネル部５が連結されている。表示パネル部５の上面には、通話用スピーカー６および表示画面７が配置されている。また、表示パネル部５の裏面にはカメラが配置されている。
【０００７】
この折り畳み式の携帯電話は、図２に示されるように、キーパネル部１のヒンジ４の近くで分割可能に構成されている。図２の例では、分割部の両面に対向して磁石（図示せず）が配置され、磁石の吸着力により、着脱が可能となっている。なお、これらの磁石は一方を鉄片等の磁性金属に置き換えることも可能である。この分割部の対向する分割面には、図示しないが複数の端子がそれぞれ配置されており、キーパネル部１と表示パネル部５とが一体になっている状態でそれら端子が互い接触してキーパネル部１と表示パネル部５との信号伝達を可能にしている。なお、キーパネル部１と表示パネル部５とが分割された場合は、キーパネル部１と表示パネル部５とにそれぞれ送受信器を備えてキーパネル部１と表示パネル部５との間をブルートゥース（Bluetooth ）等の無線により交信して両者間の信号伝達を可能にしている。また、キーパネル部１と表示パネル部５との間の信号伝達を無線によらず、電線で接続しておくことも可能である。
【０００８】
また、キーパネル部１と表示パネル部５とが分割された場合に、キーパネル部１だけでの通話が可能なように、キーパネル部１の上端近くに通話用スピーカー（図示せず）が設けられている。このように構成したことで、キーパネル部１と表示パネル部５とが一体の場合は、従来の折り畳み式の携帯電話と同様に、通話用マイク３と通話用スピーカー６を用いて通話することが可能である。キーパネル部１と表示パネル部５とを分割した場合は、表示パネル部５を前方に置くか手に保持したままで、表示画面７を見ながら、あるいは表示パネル部５の裏面のカメラ（図示せず）により撮影しながら、耳にキーパネル部１を当てて通話することが可能となる。
【０００９】
図３は第２の実施形態に係る折り畳み式の携帯電話の分割された状態を示す外観図であり、図４は図３で分割した表示パネル部を自立させた状態の背面図および側面図である。図３に示されるように、ヒンジ４の近くの両側面に、プッシュボタン１１，１２が設けられており、このプッシュボタン１１，１２をそれぞれ同時に押すと、その下方に突設されている爪１３，１４が連動して、キーパネル部１の係合部との係合が解除されるように構成されている。
【００１０】
また、キーパネル部１と表示パネル部５を連結する場合は、爪１３，１４をキーパネル部１の係合部に挿入することで装着される。また、図４に示されるように、ヒンジ４の両側面にスタンド１５が回動可能に取り付けられており、実線で示されるように下方に回動した状態で、表示パネル部５が自立可能となり、テーブル、机、車のフロントパネル等の上に表示パネル部５を見やすい角度で置くことが可能となる。なお、スタンド１５を不使用の場合は、破線で示すように、上方に回動させて表示パネル部５に密着させて置くことができる。また、図４（ｂ）中の１６はすべり止めのためのゴム板である。
【００１１】
図５は第３の実施形態に係る折り畳み式の携帯電話の分割された状態を示す外観図である。この実施形態は、キーパネル部１と表示パネル部５との着脱機構が図３と同一であり、異なる点は、表示画面を広くしたことである。従来機種の表示画面はＬＣＤにより構成されておりバックライトを有する構造のため薄くするのに限界がある。そこで、本発明は、新たに、表示画面に有機ＥＬディスプレイからなる表示パネルを用いることで薄型化を可能とし、さらに柔軟性が得られるため、表示画面を３面により構成し、それらを左右に展開および折り畳み可能にした。
【００１２】
すなわち図５に示すように、表示画面２１〜２３を有機ＥＬディスプレイからなる表示パネルにより構成し、中央の表示画面２１の左右に表示画面２２，２３を折り畳み可能に配置し、使用の際は表示画面２２，２３を左右に展開して３倍の広さにし、不使用時には折り畳んで表示画面２１の大きさに収納する。このように画面を広くすることで表示画像の情報量が増大可能になる。また、携帯電話のカメラの画素数の増大やパノラマ化にも対応可能となる。
【００１３】
図６は第４の実施形態に係る折り畳み式の携帯電話を示す斜視図であり、図７は図６の携帯電話を分割した状態を示す斜視図であり、図８は図７で分割した表示パネル部を自立させた状態を示す斜視図である。図において、３１はキーパネル部であり、上面にキーパネル３２および通話用マイク３３が配置されている。キーパネル部３１には、ヒンジ３４を介して表示パネル部３５が連結されている。表示パネル部３５の上面には、通話用スピーカー３６および表示画面３７が配置されている。また、表示パネル部３５の裏面にはカメラが配置されている。
【００１４】
この携帯電話は、ヒンジ３４でヒンジピン３４Ａとヒンジ孔３４Ｂとに分割可能である。分割する場合は、キーパネル部３１側のロックボタン３８をスライドさせて、ヒンジピン３４Ａとヒンジ孔３４Ｂとの係合を解除して、表示パネル部３５を右横方向に抜き取る。分割された表示パネル部３５は、スタンド台３９に装着して自立させることが可能である。キーパネル部３１と表示パネル部３５との間の信号伝達は、キーパネル部３１の上端に配設された赤外線信号の送受信部４１と、表示パネル部３５の下端でヒンジ孔３４Ｂのしたに配設された赤外線信号の送受信部４２とにより行われる。表示パネル部３５が、スタンド台３９に装着されている間は、送受信部４１とスタンド台３９の前上部に設けられた赤外線信号の送受信部４２とにより行われる。スタンド台３９の上部右端には、スタンド台３９から表示パネル部３５から抜き取るときに係合を解除するための解除ボタン４４が配置されている。
【００１５】
また、キーパネル部３１と表示パネル部３５とが分割された場合に、キーパネル部３１だけでの通話が可能なように、キーパネル部３１の上端近くに通話用スピーカー（図示せず）が設けられている。このように構成したことで、キーパネル部３１と表示パネル部３５とが一体の場合は、従来の折り畳み式の携帯電話と同様に、通話用マイク３３と通話用スピーカー３６を用いて通話することが可能である。キーパネル部３１と表示パネル部３５とを分割した場合は、表示パネル部３５をスタンド台３９に装着して前方に置き、表示画面３７を見ながら、あるいは表示パネル部３５の裏面のカメラ（図示せず）により撮影しながら、耳にキーパネル部３１を当てて通話することが可能となる。
【００１６】
図９は第５の実施形態に係る折り畳み式の携帯電話を示す斜視図であり、図１０は図９の携帯電話を分割した状態を示す斜視図であり、図１１は図１０で分割した表示パネル部を自立させた状態を示す斜視図である。図において、５１はキーパネル部であり、上面にキーパネル５２および通話用マイク５３が配置されている。キーパネル部５１には、ヒンジ５４を介して表示パネル部５５が連結されている。表示パネル部５５の上面には、通話用スピーカー５６および表示画面５７が配置されている。また、表示パネル部５５の裏面にはカメラが配置されている。
【００１７】
この携帯電話は、ヒンジ５４近くのキーパネル部５１の上部で分割可能である。分割する場合は、キーパネル部５１側のロックボタン５８を押して、キーパネル部本体５１Ａとキーパネル部上端５１Ｂを引き離す。キーパネル部本体５１Ａとキーパネル部上端５１Ｂの当接面には、磁石５９が埋設されており、これら磁石５９の吸着力により、キーパネル部本体５１Ａとキーパネル部上端５１Ｂは一体に保持される。キーパネル部上端５１Ｂは、スタンドとして機能し、分割された表示パネル部５５を自立させることが可能である。キーパネル部５１と表示パネル部５５との間の信号伝達は、キーパネル部５１の上端に配設された赤外線信号の送受信部６１と、キーパネル部上端５１Ｂの分割面右上に設けられた赤外線信号の送受信部６２とにより行われる。
【００１８】
また、キーパネル部５１と表示パネル部５５とが分割された場合に、キーパネル部５１だけでの通話が可能なように、キーパネル部５１の上端近くに通話用スピーカー（図示せず）が設けられている。このように構成したことで、キーパネル部５１と表示パネル部５５とが一体の場合は、従来の折り畳み式の携帯電話と同様に、通話用マイク５３と通話用スピーカー５６を用いて通話することが可能である。キーパネル部５１と表示パネル部５５とを分割した場合は、表示パネル部５５をキーパネル部上端５１Ｂにより自立させて前方に置き、表示画面５７を見ながら、あるいは表示パネル部５５の裏面のカメラ（図示せず）により撮影しながら、耳にキーパネル部５１を当てて通話することが可能となる。
【００１９】
なお、上述した各実施形態では、表示パネル部５，３５，５５の背面にカメラが配置されていたが、表示パネル部５，３５，５５の前面に配置して、通話者の顔を撮影可能にすると、双方向で相手の顔を見ながら通話する、いわゆるテレビ電話ともなる。
【００２０】
なお、本発明の構成では、キーパネル部１，３１，５１と表示パネル部５，３５，５５を分割し両者間の信号伝送を無線とした場合、キーパネル部１，３１，５１と表示パネル部５，３５，５５にも電源が必要となる。そこで、キーパネル部１，３１，５１と表示パネル部５，３５，５５の両方にバッテリを備えるものとする。これらのバッテリへの充電は、キーパネル部１，３１，５１と表示パネル部５，３５，５５を連結した状態で、２個のバッテリを同時に充電するように構成する。
【００２１】
また、上述の各実施形態では、キーパネル部１，３１，５１と表示パネル部５，３５，５５を分割した場合について説明したが、キーパネル部１，３１，５１と表示パネル部５，３５，５５を連結させた状態では、従来機種と同様な使用が可能である。また、上述の第１〜第３、第５の実施形態では、キーパネル部１，５１のヒンジ４，５４近くで分割したが、表示パネル部５，５５のヒンジ４，５４近くで分割することも可能である。
【産業上の利用可能性】
【００２２】
本発明は、ヒンジにより開閉する折り畳み式の携帯電話以外に、側方へ回動させる畳み式の携帯電話、および折り畳み式でないストレート型の携帯電話にも利用可能である。
【図面の簡単な説明】
【００２３】
【図１】第１の実施形態に係る携帯電話の開いた状態を示す外観図である。
【図２】図１の携帯電話をキーパネル部と表示パネル部に分割した状態を示す外観図である。
【図３】第２の実施形態に係る携帯電話の分割された状態を示す外観図である。
【図４】図３で分割した表示パネル部を自立させた状態を示す背面図および側面図である。
【図５】第３の実施形態に係る携帯電話の分割された状態を示す外観図である。
【図６】第４の実施形態に係る携帯電話を示す斜視図である。
【図７】図６の携帯電話を分割した状態を示す斜視図である。
【図８】図７で分割した表示パネル部を自立させた状態を示す斜視図である。
【図９】第５の実施形態に係る携帯電話を示す斜視図である。
【図１０】図９の携帯電話を分割した状態を示す斜視図である。
【図１１】図１０で分割した表示パネル部を自立させた状態を示す斜視図である。
【符号の説明】
【００２４】
１  キーパネル部
２  キーパネル
３  通話用マイク
４  ヒンジ
５  表示パネル部
６  通話用スピーカー
７  表示画面
１１，１２  プッシュボタン
１３，１４  爪
１５  スタンド
１６  ゴム板
２１〜２３  表示画面
３１  キーパネル部
３２  キーパネル
３３  通話用マイク
３４  ヒンジ
３４Ａ  ヒンジピン
３４Ｂ  ヒンジ孔
３５  表示パネル部
３６  通話用スピーカー
３７  表示画面
３８  ロックボタン
３９  スタンド台
４１〜４３  送受信部
４４  解除ボタン
５１  キーパネル部
５１Ａ  キーパネル部本体
５１Ｂ  キーパネル部上端
５２  キーパネル
５３  通話用マイク
５４  ヒンジ
５５  表示パネル部
５６  通話用スピーカー
５７  表示画面
５８  ロックボタン
５９  磁石
６１，６２  送受信部
【図１】
2004304784.tif 000003
【図２】
2004304784.tif 000004
【図３】
2004304784.tif 000005
【図４】
2004304784.tif 000006
【図５】
2004304784.tif 000007
【図６】
2004304784.tif 000008
【図７】
2004304784.tif 000009
【図８】
2004304784.tif 000010
【図９】
2004304784.tif 000011
【図１０】
2004304784.tif 000012
【図１１】
2004304784.tif 000013